(57)【要約】【課題】熱湯からなる麦茶やウーロン茶等の飲用水を短時間で所定の温度まで冷却することができると共に、装置全体を小型化且つ薄型化できて、狭いスペースで設置できるようにした飲用水冷却装置を提供する。【解決手段】ケーシング１内に、熱湯のように熱い飲用水２がケーシング１上部から下部へと蛇行しながら流通する飲用水流通路３を設けると共に、飲用水２を冷却するための冷却管路４をその大部分が飲用水流通路３内を通るように配管し、飲用水流通路３にはその上端部に飲用水投入口５を設け且つ下端部に飲用水排出口６を設け、冷却管路４にはその一端部に冷却用水道水７を供給するための水道水供給口８を設け且つ他端部に水道水排出口９を設ける。【選択図】図１
0003134105.tif 000002
【実用新案登録請求の範囲】
【請求項１】
ケーシング内に、熱湯のように熱い飲用水がケーシング上部から下部へと蛇行しながら流通する飲用水流通路を設けると共に、飲用水を冷却するための冷却管路をその大部分が飲用水流通路内を通るように配管し、飲用水流通路にはその上端部に飲用水投入口を設け且つ下端部に飲用水排出口を設け、冷却管路にはその一端部に冷却用水道水を供給するための水道水供給口を設け且つ他端部に水道水排出口を設けてなる飲用水冷却装置。
【請求項２】
飲用水流通路内を通る冷却管路部にはその外周面に冷却用フィンを設けてなる請求項１に記載の飲用水冷却装置。
【請求項３】
飲用水投入口をケーシング内の上端部に設けると共に、飲用水投入口の真下に位置するケーシング内の下端部に飲用水排出口を設け、水道水供給口をケーシング内の上端部の飲用水投入口に近い位置に設け、水道水供給口内には、供給される水道水によって回転する駆動用羽根車を設け、この駆動用羽根車の回転軸と、飲用水投入口内から飲用水排出口内に亘って延びるように軸架した推進軸とを伝動手段により連動連結すると共に、飲用水投入口内に位置する推進軸の上端部には飲用水送給用羽根車を設け、飲用水排出口内に位置する推進軸の下端部には強制排水用羽根車を設けてなる請求項１又は２に記載の飲用水冷却装置。
【請求項４】
冷却管路部が通っている飲用水流通路部では、この飲用水流通路部内を流通する飲用水の流通方向が、冷却管路部部内を流通する水道水の流通方向と同じになるようにした請求項１〜３の何れかに記載の飲用水冷却装置。
【考案の詳細な説明】
【技術分野】
【０００１】
本考案は、熱湯のように熱い飲用水を、水道水を用いて冷却する飲用水冷却装置に関するものである。
【背景技術】
【０００２】
熱湯によって作られる麦茶やウーロン茶等を冷やす場合に、熱湯のまま冷蔵庫に入れると、庫内の温度が上昇して他の食品に影響を与えたり、コンプレッサに負担をかけるなどの弊害があることから、熱湯の麦茶やウーロン茶等を密閉容器に入れて、水道水を入れた広口容器等の水中に漬けておくなどして、一旦所要温度まで冷ましてから、冷蔵庫に保管するようにしているが、麦茶等の密閉容器を、水道水を入れた容器で水道水の温度にまで冷やすにはかなり時間がかかる。
【０００３】
そこで、熱湯からなる麦茶やウーロン茶等の飲用水を短時間で所要温度まで冷却するようにした飲用水冷却装置が、例えば特許文献１に記載されている。この飲用水冷却装置は、水道水等の冷却水を一定量貯えるタンクと、熱湯の麦茶やウーロン茶等飲用水を貯え、この飲用水を排出する排出口を有する給水槽と、一端部が温水排出口に連結され、他端部が冷水排出口に連結された冷却パイプとから構成される。
【特許文献１】実開平６−２０７４号公報
【考案の開示】
【考案が解決しようとする課題】
【０００４】
上記特許文献１に記載されている飲用水冷却装置は、熱湯の麦茶やウーロン茶等飲用水を貯めておく給水槽及び冷却水を一定量貯えるタンクを備えていることから、装置全体が大型化して、広い設置スペースを必要とする、という難点があった。
【０００５】
本考案は、熱湯からなる麦茶やウーロン茶等の飲用水を短時間で所定の温度まで冷却することができると共に、装置全体を小型化且つ薄型化できて、狭いスペースで設置できるようにした飲用水冷却装置を提供することを目的とする。
【課題を解決するための手段】
【０００６】
上記課題を解決するための手段を、後述する実施形態の参照番号を付して説明すると、請求項１に係る考案の飲用水冷却装置は、ケーシング１内に、熱湯のように熱い飲用水２がケーシング１上部から下部へと蛇行しながら流通する飲用水流通路３を設けると共に、飲用水２を冷却するための冷却管路４をその大部分が飲用水流通路３内を通るように配管し、飲用水流通路３にはその上端部に飲用水投入口５を設け且つ下端部に飲用水排出口６を設け、冷却管路４にはその一端部に冷却用水道水７を供給するための水道水供給口８を設け且つ他端部に水道水排出口９を設けてなることを特徴とする。
【０００７】
請求項２は、請求項１に記載の飲用水冷却装置において、飲用水流通路３内を通る冷却管路部１９にはその外周面に冷却用フィン２１を設けてなることを特徴とする。
【０００８】
請求項３は、請求項１又は２に記載の飲用水冷却装置において、飲用水投入口５をケーシング１内の上端部に設けると共に、飲用水投入口５の真下に位置するケーシング１内の下端部に飲用水排出口６を設け、水道水供給口８をケーシング１内の上端部の飲用水投入口５に近い位置に設け、水道水供給口８内には、供給される水道水７によって回転する駆動用羽根車２２を設け、この駆動用羽根車２２の回転軸２３と、飲用水投入口５内から飲用水排出口６内に亘って延びるように軸架した推進軸２４とを伝動手段２７により連動連結すると共に、飲用水投入口５内に位置する推進軸２４の上端部には飲用水送給用羽根車２５を設け、飲用水排出口６内に位置する推進軸２４の下端部には強制排水用羽根車２６を設けてなることを特徴とする。
【０００９】
請求項４は、請求項１〜３の何れかに記載の飲用水冷却装置において、冷却管路部１９が通っている飲用水流通路部ａでは、この飲用水流通路部ａ内を流通する飲用水２の流通方向が、冷却管路部１９内を流通する水道水７の流通方向と同じになるようにしたことを特徴とする。
【考案の効果】
【００１０】
上記解決手段による考案の効果を、後述する実施形態の参照番号を付して説明すると、請求項１に係る考案によれば、ケーシング１内に、飲用水２がケーシング１上部から下部へと蛇行しながら流通する飲用水流通路３を設けると共に、飲用水２を冷却するための冷却管路４をその大部分が飲用水流通路３内を通るように配管し、飲用水流通路３の上端部に飲用水投入口５を設け且つ下端部に飲用水排出口６を設け、冷却管路４にはその一端部に冷却用水道水７を供給するための水道水供給口８を設け且つ他端部には水道水排出口９を設けたものであるから、熱湯からなる麦茶等の飲用水２を短時間で所定温度まで冷却できると共に、装置の構造をコンパクトで出来る限り薄型にすることができて、設置するのに場所をとらず、流し台の隅っこのような狭い場所でも容易に設置可能となる。
【００１１】
請求項２に係る考案によれば、飲用水流通路３内を通る冷却管路部１９にはその外周面に冷却用フィン２１を設けたことにより、飲用水流通路３内を流通する熱湯飲用水２に対する冷却管路部１９の接触面積が広くなって、冷却用水道水７と熱湯飲用水２との熱交換効率が良好となる。
【００１２】
請求項３に係る考案によれば、飲用水投入口５をケーシング１内の上端部に設けると共に、飲用水投入口５の真下に位置するケーシング１内の下端部に飲用水排出口６を設け、水道水供給口８をケーシング１内の上端部の飲用水投入口５に近い位置に設け、水道水供給口８内には水道水７によって回転する駆動用羽根車２２を設け、この駆動用羽根車２２の回転軸２３と、飲用水投入口５内から飲用水排出口６内に亘って延びるように軸架した推進軸２４とを伝動手段２７により連動連結すると共に、飲用水投入口５内に位置する推進軸２４の上端部に飲用水送給用羽根車２５を設け、飲用水排出口６内に位置する推進軸２４の下端部に強制排水用羽根車２６を設けたことにより、飲用水投入口５に投入された飲用水２は、飲用水送給用羽根車２５で強制的に飲用水流通路３内に供給されて、途中で滞留するようなことがなく飲用水流通路３をスムーズに流通できると共に、強制排水用羽根車２６で飲用水排出口６から確実に排出できる。この場合、羽根車２５，２６の駆動力として、水道水供給口８内に設けた、水道水により回転する駆動用羽根車２２の回転力を使用するから、モータ等の特別な駆動源を必要とせず、経済的である。
【００１３】
請求項４に係る考案によれば、冷却管路部１９が通っている飲用水流通路部ａでは、この飲用水流通路部ａ内を流通する飲用水２の流通方向が、冷却管路部１９内を流通する水道水７の流通方向と同じになるようにしたから、飲用水２よりも流速の速い冷却用水道水７が飲用水２よりも先行することになり、従って飲用水２は常に新しい、即ち温度の低い水道水７による冷却作用を受けることができて、冷却効果が良好となり、飲用水２をより短時間で冷やすことができる。
【考案を実施するための最良の形態】
【００１４】
以下に本考案の好適な実施形態について図面を参照して説明すると、図１は本発明に係る飲用水冷却装置の縦断面図、図２の(a) は図１のＸ−Ｘ線断面図、(b) は図１のＹ−Ｙ線断面図である。これらの図面において、１はケーシングで、このケーシング１内には、熱湯のように熱い飲用水２がケーシング１の上部から下部へと蛇行しながら重力によって流通することができる飲用水流通路３を設けると共に、飲用水２を冷却するための冷却管路４をその大部分が飲用水流通路３内を通るように配管し、この飲用水流通路３にはその上端部に飲用水投入口５を設け且つ下端部に飲用水排出口６を設け、また冷却管路４にはその一端部に冷却用水道水７を供給するための水道水供給口８を設け且つ他端部に水道水排出口９を設けている。
【００１５】
上記飲用水冷却装置の構造について更に詳しく説明すれば、ケーシング１は、左右側板１ａ，１ａと前後端板１ｂ，１ｃと天板１ｄと底板１ｅとによって、左右幅が比較的薄い箱状に形成され、そしてこの薄型箱状ケーシング１内の上部隔壁板１０と、底板１ｅと、左右側板１ａ，１ａと、前後隔壁板１１，１２との間に飲用水流通路３が形成され、この飲用水流通路３は、上部隔壁板１０と底板１ｅとの間に夫々上下複数段に亘って形成された冷却用流通路ａ及びＵターン路ｂからなり、最上段の冷却用流通路ａの上側には飲用水投入口５に直通する飲用水導入路ｃが形成されている。
【００１６】
飲用水流通路３の冷却用流通路ａは、図２の(b) から分かるように、上部側仕切板１３と下部側仕切板１４との間に形成され、Ｕターン路ｂは、上段側冷却用流通路ａの下部側仕切板１４と下段側冷却用流通路ａの上部側仕切板１３との間に形成され、そして図１に示すように、冷却用流通路ａを形成する上部側仕切板１３の前端部に連通口１５が設けられ、また下部側仕切板１４の後端部に連通口１６が設けられている。飲用水排出口６は、図１に示すように、最下段のＵターン路ｂの前端部側で飲用水投入口５の真下に位置するように設けられている。
【００１７】
冷却管路４は、前部垂直管路１７と、後部垂直管路１８と、前後両垂直管路１７，１８間に上下複数段に亘って連通連設された複数の水平管路１９とからなるもので、図１から分かるように、前部垂直管路１７はケーシング１の前端板１ｂと前部隔壁板１１との間に配置され、後部垂直管路１８は後端板１ｃと後部隔壁板１２との間に配置され、各水平管路１９は飲用水流通路３の冷却用流通路ａを同心状に貫通するように配置され、そして前部垂直管路１７の上端部は連通管路２０を介して水道水供給口８に接続配管され、また後部垂直管路１８の下端部は水道水排出口９を形成している。
【００１８】
飲用水流通路３の冷却用流通路ａに貫通配置された各水平管路１９にはその外周面に、例えば楕円形状の冷却用フィン２１が長手方向一定間隔おきに多数突設されている。
【００１９】
また図１に示すように、水道水供給口８は、出来るだけ飲用水投入口５に近い位置に設けられ、この水道水供給口８内には、供給される水道水７によって回転する駆動用羽根車２２が軸着されている。また、飲用水投入口５内から飲用水排出口６内に亘って同心状に延びるように推進軸２４が軸架され、この推進軸２４の上端部には飲用水投入口５の内部に位置するように飲用水送給用の羽根車２５が一体回転可能に設けられ、推進軸２４の下端部には飲用水排出口６の内部に位置するように強制排水用の羽根車２６が一体回転可能に設けられている。
【００２０】
更に、推進軸２４と駆動用羽根車２２の回転軸２３とが伝動手段２７によって連動連結されていて、駆動用羽根車２２の回転により推進軸２４が回転して、飲用水投入口５内の飲用水送給用羽根車２５及び飲用水排出口６内の強制排水用羽根車２６が回転駆動されるようになっている。
【００２１】
図１に概略示すように、駆動用羽根車２２は、軸受部材２８によって水道水供給口８内に回転可能に支持され、また推進軸２４は、飲用水投入口５内に取り付けられた軸受部材２９及びケーシング１の前端板１ｂ側に設けられた軸受部材３０によって回転可能に支持されている。伝動手段２７は、飲用水投入口５から水道水供給口８に亘って水平に延び、駆動用羽根車２２の回転軸２３及び推進軸２４に対して直交するように回転可能に軸架された伝動軸３１と、駆動用羽根車２２の回転軸２３の回転を伝動軸３１に伝えるベベルギヤ対３２と、伝動軸３１の回転を推進軸２４に伝えるベベルギヤ対３３とからなる。
【００２２】
尚、推進軸２４は仕切板１３，１４を貫通し、また伝動手段２７の伝動軸３１は飲用水投入口５及び水道水供給口８を貫通しているが、これらの軸２４，３１の貫通部分には水密構造の軸受部材が設けられる。
【００２３】
また、飲用水投入口５の入口には飲用水投入用のホッパー３４が取り付けられている。このホッパー３４は、断熱構造で、熱湯投入時に触っても火傷しないようになっている。また、水道水供給口８には、一端部（図示せず）が水道の蛇口に接続される給水ホース３５の先端部が連結プラグ３６を介して着脱可能に連結されている。
【００２４】
次に、上記のように構成される飲用水冷却装置の作用について説明する。
【００２５】
先ず、給水ホース３５の一端部（図示せず）を流し台等の水道蛇口に取り付け、その先端部の連結プラグ３６をケーシング１の水道水供給口８に連結し、水道蛇口のコックを適度に開いて、冷却用水道水７を水道水供給口８より冷却管路４に供給する。
【００２６】
水道水供給口８より供給される冷却用水道水７は、連通管路２０から前部垂直管路１７に流入して、この前部垂直管路１７から上下複数段の水平管路１９に夫々流れ込み、各水平管路１９に流れ込んだ冷却用水道水７は、その水平管路１９を水平に流通して、後部垂直管路１８に落とし込まれ、この後部垂直管路１８の下端部の水道水排出口９から外部へ排出されてゆく。
【００２７】
上記のように冷却用水道水７を水道水供給口８より冷却管路４に供給した状態で、飲用水投入用ホッパー３４より、沸かした麦茶等の熱湯の飲用水２を飲用水投入口５に投入すると、この熱湯の飲用水２は、一旦飲用水導入路ｃに導入されて、そこから連通口１５を通って飲用水流通路３の最上段の冷却用流通路ａに流入し、この冷却用流通路ａを前端部から後端部へ（図１の左方から右方へ）流通して、その後端側にある連通口１６より最上段のＵターン路ｂに入り、このＵターン路ｂを後端部から前端部へと逆方向に流通して、その前端部にある連通口１５より、その下段側の冷却用流通路ａに流入して、この冷却用流通路ａを前端部から後端部へと流通し、以降同様の流通過程を繰り返すことによって、熱湯飲用水２は、各冷却用流通路ａ内を貫通する冷却管路４の水平管路１９による水冷作用（熱交換作用）によって最終的に水道水の温度まで冷やされ、最下段の冷却用流通路ａの後端部にある連通口１６より最下段のＵターン路ｂを通って、飲用水排出口６から排出される。
【００２８】
飲用水排出口６の下方には、図示は省略するが、適当な飲用水受け入れ容器が置いてあって、冷却管路４を通って冷やされた飲用水２を飲用水排出口６より受けとるようになっている。尚、この飲用水冷却装置の大きさ、性能等によって、１回で十分に冷却し得ない場合は、数回繰り返すことによって、所定温度まで冷却することができる。
【００２９】
上記の説明では、飲用水投入用ホッパー３４より飲用水投入口５に投入された熱湯の飲用水２は、自重により飲用水流通路３を流通して飲用水排出口６より排出されているが、飲用水投入口５内には飲用水送給用の羽根車２５が、また飲用水排出口６内には強制排水用の羽根車２６が夫々設けてあるために、飲用水流通路３を通って冷やされた飲用水２は強制排水用羽根車２６によって強制排水されると共に、飲用水投入口５に投入された熱湯飲用水２は飲用水送給用の羽根車２５によって強制的に飲用水流通路３内に供給されるから、途中で滞留するようなことがなく飲用水流通路３をスムーズに流通して、飲用水排出口６より連続的に排出されるようになる。またこの場合、飲用水送給用羽根車２５及び強制排水用羽根車２６の駆動力として、水道水供給口８内に設けた、水道水により回転する駆動用羽根車２２の回転力を使用しているから、モータ等の特別な駆動源を必要とせず、経済的である。
【００３０】
また、飲用水流通路３の冷却用流通路ａ内を通る冷却管路４の水平管路１９にはその外周面に冷却用フィン２１が設けられているため、冷却用流通路ａを流通する熱湯飲用水２に対する接触面積が広くなって、冷却用水道水７と熱湯飲用水２との熱交換効率が良好となる。
【００３１】
また、図１から分かるように、冷却管路４の水平管路１９が通っている飲用水流通路３の冷却用流通路ａにおいては、Ｕターン路ｂを設けることにより、飲用水流通路部ａ内を流通する飲用水２の流通方向と冷却管路部１９内を流れる水道水７の流通方向とが同じになるように構成しているから、飲用水２よりも流速の速い冷却用水道水７が飲用水２よりも先行することになり、従って飲用水２は、常に新しい、即ち温度の低い水道水７による冷却作用（熱交換作用）を受けることができて、冷却効果が良好となり、飲用水２をより短時間で効率よく冷やすことができる。
【００３２】
以上説明したように、この考案に係る飲用水冷却装置は、ケーシング１内に、沸かした麦茶等の熱い飲用水２がケーシング１上部から下部へと蛇行しながら流通する飲用水流通路３を設けると共に、飲用水２を冷却するための冷却管路４をその大部分が飲用水流通路３内を通るように配管し、飲用水流通路３にはその上端部に飲用水投入口５を設け且つ下端部に飲用水排出口６を設け、冷却管路４にはその一端部に冷却用水道水７を供給するための水道水供給口８を設け且つ他端部には水道水排出口９を設けてなるものであるから、装置の構造をコンパクトで出来る限り薄型にすることができ、設置するの場所をとらず、流し台の隅っこのような場所でも容易に設置することができる。
【００３３】
この実施形態にあっては、図２の(b) に示すように、飲用水流通路３の冷却用流通路ａ内に冷却管路４の１本の水平管路１９を挿通させているが、各冷却用流通路ａ内には夫々２本の水平管路１９を挿通させるように構成してもよい。その場合、この実施形態に示したような冷却管路４を２本並設して互いに連通連結させたものでもよいし、この実施形態に示した冷却管路４の構成部材である前部垂直管路１７と後部垂直管路１８は、夫々１本にして、前後両垂直管路１７，１８間に上下複数段に亘って連通連設される各段の水平管路１９を２本に分岐したような構成としてもよい。
【図面の簡単な説明】
【００３４】
【図１】本発明に係る飲用水冷却装置の縦断面図である。
【図２】(a) は図１のＸ−Ｘ線断面図、(b) は図１のＹ−Ｙ線断面図である。
【符号の説明】
【００３５】
１            ケーシング
２            飲用水
３            飲用水流通路
４            冷却管路
５            飲用水投入口
６            飲用水排出口
７            冷却用水道水
８            水道水供給口
９            水道水排出口
２１          冷却用フィン
２２          駆動用羽根車
２３          回転軸
２４          推進軸
２６          強制排水用羽根車
２７          伝動手段
ａ            冷却用流通路
ｂ            Ｕターン路
【図１】
0003134105.tif 000003
【図２】
0003134105.tif 000004